(57)【要約】      （修正有）【課題】溶剤形接着剤が吐出部から漏れ出したり、乾燥することがないので、溶剤形接着剤が吐出部に詰まったり、付着することがなく、良好な機能を維持できるキャップ付き容器およびキャップ具を提供する。【解決手段】挿込み部５の挿通線部６をキャップ４の先端連通孔４ｂから容器体２内に挿入するとともに、連結線部７の下端部７ａを止め孔部４ｃに係合させる。キャップ４内に留まる溶剤形接着剤Ｇは容器体２内に戻り、溶剤形接着剤Ｇが吐出部３から漏れ出すことがない。ゴム体８がキャップ４の先端連通孔４ｂを気密に閉鎖するため、溶剤形接着剤Ｇが揮発により乾燥することがない。【選択図】図１
2007182256.tif 000002
【特許請求の範囲】
【請求項１】
所定の使用対象物に塗布する液状体を収容した容器体と、
この容器体に立設された吐出部に着脱可能に螺合されて、前記吐出部を介して前記容器体に連通する細径の先端連通孔を有するキャップと、
挿通線部とこの挿通線部から前記キャップの外部に延出された弾性材製の連結延部とにより構成されて、前記挿通線部を前記キャップの前記先端連通孔から前記容器体の前記液状体に到るように挿入し、前記連結延部を前記キャップの外側部に配置して、前記キャップに設けられた係合部に着脱可能に係合させる挿込み部と、
前記挿通線部に設けられて、前記連結延部を前記係合部に係合させる際、前記連結延部の付勢力により、前記キャップの前記先端連通孔を気密に閉鎖する栓部とを具備することを特徴とするキャップ付き容器。
【請求項２】
前記連結延部は、細径の線材により形成されていることを特徴とする請求項１に記載のキャップ付き容器。
【請求項３】
前記連結延部は、前記挿通線部の左右両側に延出された二枚の細長な板ばね材により形成されていることを特徴とする請求項１に記載のキャップ付き容器。
【請求項４】
前記栓部には、前記挿通線部を貫通し、前記キャップの先端部に嵌合する貫通孔が形成されていることを特徴とする請求項１に記載のキャップ付き容器。
【請求項５】
前記栓部は弾性材製であることを特徴とする請求項１に記載のキャップ付き容器。
【請求項６】
前記栓部は、前記キャップの前記先端連通孔に接離可能に当接する数珠状のゴム体であることを特徴とする請求項１に記載のキャップ付き容器。
【請求項７】
前記栓部は、前記キャップの前記先端連通孔に接離可能に当接する栓体を有するコイルスプリングであることを特徴とする請求項１に記載のキャップ付き容器。
【請求項８】
前記栓部は、前記キャップの前記先端連通孔に接離可能に当接する蛇腹体であることを特徴とする請求項１に記載のキャップ付き容器。
【請求項９】
前記挿込み部は、金属により形成されていることを特徴とする請求項１に記載のキャップ付き容器。
【請求項１０】
前記挿込み部は、プラスチックにより形成されていることを特徴とする請求項１に記載のキャップ付き容器。
【請求項１１】
前記容器体は、接着剤を所定の液状体として収容していることを特徴とする請求項１に記載のキャップ付き容器。
【請求項１２】
前記キャップは、新たな容器体に交換可能に装着されるようになっていることを特徴とする請求項１に記載のキャップ付き容器。
【請求項１３】
所定の使用対象物に塗布する液状体を収容した容器体に立設された吐出部に着脱可能に螺合されるキャップを備えたキャップ具であって、
前記キャップは、前記吐出部を介して前記容器体に連通する細径の先端連通孔を有しており、
挿通線部とこの挿通線部から前記キャップの外部に延出された弾性材製の連結延部とにより構成されて、前記挿通線部を前記キャップの先端連通孔から前記容器体の前記液状体に到るように挿入し、前記連結延部を前記キャップの外側部に配置して、前記キャップに設けられた係合部に着脱可能に係合させる挿込み部と、
前記挿通線部に設けられて、前記連結延部を前記係合部に係合させる際、前記連結延部の付勢力により、前記キャップの前記先端連通孔を気密に閉鎖する栓部とを具備することを特徴とするキャップ具。
【請求項１４】
所定の使用対象物に塗布する液状体を収容した容器体と、
この容器体に立設された吐出部に着脱可能に螺合されて、前記吐出部を介して前記容器体に連通する細径の先端連通孔を有するキャップと、
挿通線部と前記挿通線部から前記キャップの外部に沿って延出された連結延部とにより構成されて、前記挿通線部を前記キャップの前記先端連通孔から前記容器体の前記液状体に到るように挿入し、前記連結延部の下端部を前記キャップ側に着脱可能に係合させるように配された挿込み部と、
前記挿込み部に挿通されて、挿込み部に形成された膨隆部に拡開変形して弾接することにより抜止めされた弾性チューブと、
前記弾性チューブの開口端部に形成され、前記下端部を前記キャップ側に係合させる際、弾性力に抗して拡開変形しながら前記キャップの先端部に気密状態に嵌合する輪環部とを具備することを特徴とするキャップ付き容器。
【請求項１５】
所定の使用対象物に塗布する液状体を収容した容器体と、
この容器体に立設された吐出部に着脱可能に螺合されて、前記吐出部を介して前記容器体に連通する細径の先端連通孔を有するキャップと、
前記キャップの前記先端連通孔から前記容器体の前記液状体に到るように挿脱可能に差込まれる挿通線部と、
前記挿通線部に挿通されて、前記挿通線部に形成された膨隆部を拡開変形により締付けて抜止めされた弾性チューブと、
前記弾性チューブの開口端部に形成され、前記挿通線部を前記先端連通孔に差込む際、弾性力に抗して拡開変形しながら前記キャップの先端部に気密に嵌合する輪環部とを具備することを特徴とするキャップ付き容器。
【請求項１６】
前記キャップの先端部には、前記弾性チューブの前記輪環部の先端が係合する円形溝が形成されていることを特徴とする請求項１４あるいは請求項１５のいずれかに記載のキャップ付き容器。
【請求項１７】
前記弾性チューブはシリコン樹脂により形成されていることを特徴とする請求項１４あるいは請求項１５のいずれかに記載のキャップ付き容器。
【請求項１８】
前記膨隆部は水中エポキシを前記挿通線部に固着させることにより形成されていることを特徴とする請求項１４あるいは請求項１５のいずれかに記載のキャップ付き容器。
【請求項１９】
所定の使用対象物に塗布する液状体を収容した容器体に立設された吐出部に着脱可能に螺合されるキャップを備えたキャップ具であって、
前記キャップは、前記吐出部を介して前記容器体に連通する細径の先端連通孔を有しており、
前記キャップの前記先端連通孔から前記容器体の前記液状体に到るように挿脱可能に差込まれる挿通線部と、
前記挿通線部とこの挿通線部から前記キャップの外部に延出された連結延部とにより構成されて、前記挿通線部を前記キャップの先端連通孔から前記容器体の前記液状体に到るように挿入し、前記連結延部の下端部を前記キャップ側に着脱可能に係合させるように配された挿込み部と、
前記弾性チューブの開口端部に形成され、前記下端部を前記キャップ側に係合させる際、弾性力に抗して拡開変形しながら前記キャップの先端部に気密に嵌合する輪環部とを具備することを特徴とするキャップ具。
【請求項２０】
所定の使用対象物に塗布する液状体を収容した容器体に立設された吐出部に着脱可能に螺合されるキャップを備えたキャップ具であって、
前記キャップは、前記吐出部を介して前記容器体に連通する細径の先端連通孔を有しており、
前記キャップの前記先端連通孔から前記容器体の前記液状体に到るように挿脱可能に差込まれる挿通線部と、
前記挿通線部に挿通されて、前記挿通線部に形成された膨隆部を拡開変形により締付けて抜止めされた弾性チューブと、
弾性チューブの開口端部に形成され、前記挿通線部を前記先端連通孔に差込む際、弾性力に抗して拡開変形しながら前記キャップの先端部に気密に嵌合する輪環部とを具備することを特徴とするキャップ具。
【発明の詳細な説明】
【技術分野】
【０００１】
本発明は、容器体に装着されるキャップ具、ならびに容器体内の液状体をキャップから外部に押し出して使用するキャップ付き容器に関する。
【背景技術】
【０００２】
例えば、論文、紀行文、画集あるいは詩集などを纏めて、小冊子や書籍などの製本とする場合、重ね合せた印字用紙の背面部を結束する。印字用紙の背面部には、接着剤押出し容器から絞り出した接着剤を塗って固着している。
この接着剤押出し容器１９は、図１３の（ａ）に示すように、先端部に管状の吐出部２１を形成し、内部に接着剤を液状体として収容したチューブ体２０を有している。吐出部２１は、図１３の（ｂ）に示すように、キャップ２２に螺合する雄ねじ部２１ａを形成している（例えば、非特許文献１参照）。
【０００３】
キャップ２２の内部には、吐出部２１内に挿入する短尺な栓部２２ａが延設されている。使用時、キャップ２２を吐出部２１から外し、チューブ体２０を押して吐出部２１から粘着性の接着剤を絞り出す。
【非特許文献１】コニシ株式会社、“製品情報”、［online］、［平成１７年１１月２１日検索］、インターネット、＜URL:http://www.bond.co.jp/04＿product/04＿02/mokkou.html＞
【発明の開示】
【発明が解決しようとする課題】
【０００４】
上記の接着剤押出し容器では、栓部２２ａが比較的太く短尺なため、吐出部２１に対するキャップの装着時に、接着剤が吐出部２１から漏れ易い欠点がある。漏れた接着剤は、乾燥して雄ねじ部２１ａの周りに付着するため、剥がし難くなってしまい、使用後にキャップ２２を吐出部２１に締付けて装着することができなくなる虞がある。
また、栓部２２ａは吐出部２１を液密に封止していないため、接着剤が揮発成分を失って固化して詰まり、再使用時に接着剤をチューブ体２０から押し出せなくなる虞がある。この場合、接着剤を押し出すためには、別体のマッチ針や細径の針金を用意して固化した接着剤に刺し込み、刺込孔を開けて奥方の接着剤を新たに絞り出さざるを得ず、長持ちし難くなり不経済で、使い勝手が悪くなる不具合がある。
【０００５】
本発明は上記の事情を考慮してなされたもので、その目的は液状体が吐出部から漏れ出したり、乾燥することをなくすことで、液状体が吐出部に詰まったり、付着することがなくなり、長期にわたって良好な機能を維持できて使い勝手のよいキャップ付き容器およびキャップ具を提供することにある。
【課題を解決するための手段】
【０００６】
（請求項１について）
容器体は、所定の使用対象物に塗布する液状体を収容している。キャップは、容器体に立設された吐出部に着脱可能に螺合されており、吐出部を介して容器体に連通する細径の先端連通孔を有する。挿込み部は、挿通線部と挿通線部からキャップの外部に延出された弾性材製の連結延部とにより構成されている。挿通線部をキャップの先端連通孔から容器体の液状体に到るように挿入し、連結延部を挿通線部からキャップの外側部に配置して、キャップに設けられた係合部に着脱可能に係合させている。栓部は、挿通線部に設けられて、連結延部を止め孔部に係合させる際、キャップの先端連通孔を気密に閉鎖する。
【０００７】
キャップを容器体に装着して使用する時、挿込み部の挿通線部をキャップの先端連通孔から抜き出すとともに、連結延部を係合部から取り出す。この状態で、容器体内の液状体をキャップの先端連通孔から押し出し、所定の使用対象物に塗布する。使用後には、挿込み部の挿通線部をキャップの先端連通孔から容器体の内部に挿入するとともに、連結延部を係合部に係合させる。
先端連通孔と挿通線部との間には、隙間が殆どないこともあって、キャップの先端連通孔内に留まる液状体は、挿通線部を先端連通孔に挿入するに伴って容器体内に戻り、液状体が吐出部から漏れ出すことがない。
【０００８】
仮に、液状体が吐出部から漏れ出してしまっても、液状体の付着範囲は、吐出部の外周部付近に留まる。このため、吐出部の外周部付近に付着した液状体は、雄ねじ部に付着する場合に比べて、容易に剥がして除去することができて好都合である。万一、液状体が吐出部内で固化してしまっても、自前の挿通線部を固化した液状体に刺し込むことにより、刺込孔を開けることができるので、液状体を支障なく押し出すことができる。
実際には、栓部がキャップの先端連通孔を気密に閉鎖するため、液状体が揮発により乾燥してしまうことがない。この結果、液状体が吐出部に詰まったり、付着することがなくなるため、長期にわたってキャップの良好な機能を維持できて使い勝手がよくなる。
【０００９】
キャップを吐出部に嵌め込み、挿通線部を先端連通孔に挿通させておけば、液状体の揮発を防ぐことができる。このため、キャップを吐出部にねじ込むことにより装着するものと異なり、吐出部に対するキャップの着脱操作性が向上する。
とりわけ、液状体を押し出して使用対象物に繰り返し塗布する場合、キャップの着脱操作が頻繁になっても、その着脱が簡単で素早くできて便利である。
長期使用に伴い、一部乾燥した液状体が吐出部やキャップの内側に僅かながら付着してしまうことがあったとしても、挿通線部を用いれば、乾燥状態の液状体を吐出部やキャップの内側から素早く擦り取ることができて清掃上便利である。
【００１０】
（請求項２について）
連結延部は、細径の線材により形成されているので、簡素な構造で製作費が廉価で済む。
【００１１】
（請求項３について）
連結延部は、挿通線部の左右両側に延出された二枚の細長な板ばね材により形成されている。板ばね材が挿通線部の左右両側にあるので、挿込み部の着脱時に板ばね材を指で摘まみ易い利点がある。
【００１２】
（請求項４について）
栓部には、挿通線部を貫通し、キャップの先端部に嵌合する貫通孔が形成されている。  この場合、キャップの先端部に対する貫通孔の嵌合により、キャップの先端連通孔が一層気密に閉鎖される結果となる。
【００１３】
（請求項５について）
栓部は弾性材製であるため、栓部が弾性変形を伴ってキャップの先端連通孔を閉鎖するようになり、先端連通孔に対する気密状態が一層確実になる。
【００１４】
（請求項６について）
栓部は、キャップの先端連通孔に接離可能に当接する数珠状のゴム体であるため、簡素な構造で、キャップの先端連通孔を気密に閉鎖できてコスト的に有利である。
【００１５】
（請求項７について）
栓部は、キャップの先端連通孔に接離可能に当接する栓体を有するコイルスプリングであるため、請求項６と同様な効果が得られる。
【００１６】
（請求項８について）
栓部は、キャップの先端連通孔に接離可能に当接する蛇腹体であるため、請求項６と同様な効果が得られる。
【００１７】
（請求項９について）
挿込み部は金属により形成されているため、比較的安価でありながらも、堅牢で耐久性に優れ、長期使用に適している。
【００１８】
（請求項１０について）
挿込み部はプラスチックにより形成されているため、挿込み部を多様な形状に成形することができるうえに、請求項９と同様な効果が得られる。
【００１９】
（請求項１１について）
容器体は、接着剤を所定の液状体として収容しているため、容器体を接着剤押出し容器として使用することができる。
【００２０】
（請求項１２について）
キャップは、新たな容器体に交換可能に装着されるようになっている。このため、容器体の液状体を使い尽くした時には、キャップを新たな容器体に取り付けることにより、キャップの共通化を図ることができる。
【００２１】
（請求項１３について）
所定の使用対象物に塗布する液状体を収容した容器体に立設された吐出部に着脱可能に螺合されるキャップを備えたキャップ具であって、キャップは、吐出部を介して容器体に連通する細径の先端連通孔を有している。挿込み部は、挿通線部と挿通線部からキャップの外部に延出された弾性材製の連結延部とにより構成されている。挿通線部はキャップの先端連通孔から容器体の液状体に到るように挿入し、連結延部はキャップの外側部に配置して、キャップに設けられた係合部に着脱可能に係合する。挿通線部に設けられた栓部は、連結延部を係合部に係合させる際、連結延部の付勢力により、キャップの先端連通孔を気密に閉鎖する。
この構成では、キャップ具の特定を除けば、請求項１と同様であるため、請求項１と同様な効果が得られる。
【００２２】
（請求項１４について）
容器体は、所定の使用対象物に塗布する液状体を収容している。キャップは、容器体に立設された吐出部に着脱可能に螺合されていて、吐出部を介して容器体に連通する細径の先端連通孔を有する。挿込み部は、挿通線部と挿通線部からキャップの外部に沿って延出された連結延部とにより構成されている。挿通線部は、キャップの先端連通孔から容器体の液状体に到るように挿入され、連結延部の下端部はキャップ側に着脱可能に係合している。弾性チューブは、挿込み部に挿通されて、挿込み部に形成された膨隆部に拡開変形して弾接する。輪環部は、弾性チューブの開口端部に形成され、連結延部の下端部をキャップ側に係合させる際、弾性力に抗して拡開変形しながらキャップの先端部に気密に嵌合する。
【００２３】
この構成では、挿込み部をキャップに装着するに伴い、弾性チューブが膨隆部で、抜止め状態に固定されて輪環部をキャップの先端部に気密に嵌合する。このため、キャップの先端部に対する輪環部の弾接状態が強固になり、キャップに対して極めて高い気密性が得られる。この結果、容器体内の液状体に対する乾燥を防止し、液状体による吐出部への詰まりや付着を予防し、長期にわたってキャップの良好な機能を維持し、使い勝手が格段によくなる。
キャップをはじめ容器体に高い気密性が得られることに伴い、液状体を押出す時、窪み変形した容器体を減圧により窪ませたままにしておくことも可能である。この場合には、再使用時に小さな変形量で容器体から液状体を押出すことができ、とりわけ頻繁に使用する場合には至便となる。これらの点の他、請求項１と同様な効果が得られる。
【００２４】
（請求項１５について）
容器体は、所定の使用対象物に塗布する液状体を収容している。キャップは、容器体に立設された吐出部に着脱可能に螺合されて、吐出部を介して容器体に連通する細径の先端連通孔を有する。挿通線部は、キャップの先端連通孔から容器体の液状体に到るように挿脱可能に差込まれる。弾性チューブは、挿通線部に挿通されて、挿通線部に形成された膨隆部を拡開変形により締付ける。弾性チューブの開口端部に形成した輪環部は、挿通線部を先端連通孔に差込む際、弾性力に抗して拡開変形しながらキャップの先端部に気密に嵌合する。
【００２５】
この構成では、一本の挿通線部を先端連通孔に挿入するだけで、弾性チューブの輪環部が拡開変形によりキャップの先端部に気密に嵌合する。このため、一本の挿通線部を用いるだけで、請求項１４と同様な効果に加えて、全体がコンパクトになり、コスト的に有利で取扱いも簡単になる利点が得られる。
【００２６】
（請求項１６について）
キャップの先端部には、弾性チューブの輪環部の先端が係合する円形溝が形成されている。このため、キャップの先端部に対する輪環部の嵌合状態が強固になって装着性が大幅に向上する。しかも、挿通線部をキャップの先端部から抜出す時には、引張るだけで輪環部が円形溝から外れるので、挿通線部の引出し操作を容易に行うことができる。
【００２７】
（請求項１７について）
弾性チューブはシリコン樹脂により形成されている。シリコン樹脂は、通常の接着剤とは馴染まないため、液状体として通常の接着剤を容器体に収容した際、弾性チューブがキャップの先端部で、その接着剤と接触しても、弾性チューブに接着剤が付着せず好都合である。
【００２８】
（請求項１８について）
膨隆部は水中エポキシを挿通線部に固着させることにより形成されている。このため、膨隆部の形成が強固で容易になり、コスト的にも有利になる。
【００２９】
（請求項１９について）
所定の使用対象物に塗布する液状体を収容した容器体に立設された吐出部に着脱可能に螺合されるキャップを備えたキャップ具であって、キャップは、吐出部を介して容器体に連通する細径の先端連通孔を有している。挿通線部は、キャップの先端連通孔から容器体の液状体に到るように挿脱可能に差込まれている。挿込み部は、挿通線部と挿通線部からキャップの外部に延出された連結延部とにより構成されている。挿通線部はキャップの先端連通孔から容器体の液状体に到るように挿入する。連結延部の下端部はキャップ側に着脱可能に係合される。弾性チューブの開口端部に形成された輪環部は、連結延部の下端部をキャップ側に係合させる際、弾性力に抗して拡開変形しながらキャップの先端部に気密に嵌合する。
この構成では、キャップ具の特定を除けば、請求項１４と同様であるため、請求項１４と同様な効果が得られる。
【００３０】
（請求項２０について）
所定の使用対象物に塗布する液状体を収容した容器体に立設された吐出部に着脱可能に螺合されるキャップを備えたキャップ具であって、キャップは、吐出部を介して容器体に連通する細径の先端連通孔を有している。挿通線部は、キャップの先端連通孔から容器体の液状体に到るように挿脱可能に差込まれる。弾性チューブは、挿通線部に挿通されて、挿通線部に形成された膨隆部を拡開変形により締付けて抜止めされている。弾性チューブの開口端部に形成された輪環部は、挿通線部を先端連通孔に差込む際、弾性力に抗して拡開変形しながらキャップの先端部に気密に嵌合する。
この構成では、キャップ具の特定を除けば、請求項１５と同様であるため、請求項１５と同様な効果が得られる。
【発明を実施するための最良の形態】
【００３１】
本発明では、使用後にキャップの先端連通孔に留まる液状体は、容器体に戻り、液状体が吐出部から漏れ出すことがない。この際、栓部がキャップの先端連通孔を気密に閉鎖するため、液状体が揮発により乾燥してしまうことがない。この結果、液状体が吐出部に詰まったり、付着することがなくなり、長期にわたって良好な機能が維持される。
【実施例１】
【００３２】
図１ないし図３に基づいて本発明の実施例１を説明する。
本発明の実施例１に係るキャップ付き容器１は、図１に示すように、例えば溶剤形接着剤Ｇを液状体として収容したチューブ状の容器体２により接着剤押出し容器を構成している。
【００３３】
この容器体２の先端部には、図２の（ａ）に示すように、外周部に雄ねじ部３ａを有する管状の吐出部３が立設されている。吐出部３の雄ねじ部３ａには、内部に雌ねじ部４ｅを有し、外側部の下端付近に微細な止め孔部４ｃを係合部として形成したプラスチック製のキャップ４が着脱可能に螺合されている。このキャップ４の先端外側部は、先細り状のテーパ面４ｄを有する円錐状に形成されている。キャップ４の先端部からは、容器体２の内部に連通する細径の先端連通孔４ｂを軸方向に貫通形成している。
【００３４】
キャップ４には、軟鋼やステンレススチールなどの金属、あるいはプラスチックなどの細径の線材により縦長な矩形状に曲成された挿込み部５が設けられている。この挿込み部５は、挿通線部６と挿通線部６よりキャップ４の外部に連結延部として延出された連結線部７とからなる。
【００３５】
挿通線部６は、キャップ４の先端連通孔４ｂから吐出部３を介して容器体２の溶剤形接着剤Ｇに到るように挿入されている。連結線部７の下端部７ａは、挿通線部６からキャップ４の外側部に配置されて、キャップ４側としての止め孔部４ｃに着脱可能に係合している。
この場合、後述するゴム体８に働く付勢力を考慮すると、挿込み部５における挿通線部６と連結線部７のうち、少なくとも連結線部７を弾性部材により形成すればよい。
【００３６】
挿通線部６の先端部６ａには、例えば、シリコンゴムにより数珠状に形成された２個のゴム体８が栓部として上下に接触する状態に取付けられている｛図２の（ｂ）参照｝。連結線部７の下端部７ａを止め孔部４ｃに係合させる際、図１の矢印Ｆで示すように、連結線部７が下方に引かれるため、ゴム体８がキャップ４の先端連通孔４ｂに強く弾接して、先端連通孔４ｂを気密に閉鎖する。
【００３７】
上記構成において、例えば、論文、紀行文、画集あるいは詩集などを纏めて、小冊子や書籍などの製本とする場合、使用対象物としての印字用紙（図示せず）を重ね合せて結束する。重ね合わせた印字用紙の背面部を接合するには、キャップ付き容器１を用いて溶剤形接着剤Ｇを適用する。
【００３８】
すなわち、図３に示すように、挿込み部５の挿通線部６をキャップ４の先端連通孔４ｂから抜き出すとともに、連結線部７を止め孔部４ｃから取り出す。この状態で、容器体２を押すと、溶剤形接着剤Ｇが吐出部３を介してキャップ４の先端連通孔４ｂから押し出される。先端連通孔４ｂから押し出された溶剤形接着剤Ｇを印字用紙の背面部に塗布する。使用後、挿込み部５の挿通線部６をキャップ４の先端連通孔４ｂから容器体２の内部に挿入するとともに、連結線部７を止め孔部４ｃに係合させる（図１参照）。
【００３９】
この時、先端連通孔４ｂと挿通線部６との間には、隙間が殆どないこともあって、キャップ４の先端連通孔４ｂ内に留まる溶剤形接着剤Ｇは、挿通線部６を先端連通孔４ｂに挿入するに伴って容器体２内に戻り、溶剤形接着剤Ｇが吐出部３から漏れ出すことがない。仮に、溶剤形接着剤Ｇが吐出部３から漏れ出してしまっても、溶剤形接着剤Ｇの付着範囲は、吐出部３の外周部付近に留まる。このため、吐出部３の外周部付近に付着した溶剤形接着剤Ｇは、雄ねじ部に付着する場合に比べて、容易に剥がして除去することができて好都合である。
【００４０】
万一、溶剤形接着剤Ｇが吐出部３内で固化してしまっても、自前の挿通線部６を固化した溶剤形接着剤Ｇに刺し込むことにより、刺込孔を開けることができるので、溶剤形接着剤Ｇを支障なく押し出すことができる。
実際には、ゴム体８がキャップ４の先端連通孔４ｂを気密に閉鎖するため、溶剤形接着剤Ｇの溶媒が揮発により乾燥してしまうことがない。この結果、溶剤形接着剤Ｇが吐出部３に詰まったり、付着することがなくなるため、長期にわたってキャップ付き容器１の良好な機能を維持できて使い勝手がよくなる。
【００４１】
なかでも、挿込み部５には、数珠状のゴム体８を栓部として設けたので、簡素な構造で、キャップ４の先端連通孔４ｂを気密に閉鎖できてコスト的に有利である。
とりわけ、先端連通孔４ｂを細径（φ０．７〜２ｍｍ程度）にしているため、溶剤形接着剤Ｇ（水溶形接着剤でも同様）を容器体２から少量ずつ押し出すことができる。これにより、溶剤形接着剤Ｇを使用対象物（例えば、製本時の印字用紙、接合用の木片）に塗布した後、溶剤や水分の揮発が直ちに行われるので、使用対象物をクリップや粘着テープなどで仮止めして保持する必要がなくなり便利である。
なお、使用後には、キャップ４を上部にして容器体２を立て掛けたりして保管すると、再使用の時に、溶剤形接着剤Ｇが先端連通孔４ｂから急に吐出しないようになり便利である。
【実施例２】
【００４２】
図４は本発明の実施例２を示す。実施例２が実施例１と異なるところは、キャップ４のテーパ面４ｄが段差部Ｋを介して複数の段部４ｐ、４ｑ、４ｒ、４ｓ、４ｔ、４ｕに区分されていることである。段部４ｐ〜４ｕの径寸法は、上端ほど径小に設定されており、使用状態により段差部Ｋに沿って切断する。これにより、塗布する幅寸法に見合った径寸法の段部から溶剤形接着剤Ｇを使用対象物に適用することができる。
【実施例３】
【００４３】
図５の（ａ）、（ｂ）は本発明の実施例３を示す。実施例３が実施例１と異なるところは、ゴム体８には、挿通線部６を貫通し、キャップ４の先端連通孔４ｂを嵌合する貫通孔８ａが形成されたことである。
この場合、図５の（ａ）に示すように、ゴム体８は算盤珠状をなし、ゴム体８の貫通孔８ａが先端連通孔４ｂに嵌合することになる。このため、同図の（ｂ）に示すように、先端連通孔４ｂがゴム体８により一層気密に閉鎖される結果となる。
【実施例４】
【００４４】
図６は本発明の実施例４を示す。実施例４が実施例１と異なるところは、連結線部７を挿通線部６の左右両側に形成したことである。これにより、キャップ４に対する挿込み部５の装着状態が安定する。
【実施例５】
【００４５】
図７は本発明の実施例５を示す。実施例５が実施例１と異なるところは、連結線部７に代わって、二枚の細長な板ばね材７Ａが挿通線部６の左右両側に延出されたことである。  板ばね材７Ａはプラスチック（例えば、ポリプロピレン）により形成されたもので、その下端部には、キャップ４の下端に弾性係合する爪部７Ｂを一体に設けている。この場合、板ばね材７Ａが挿通線部６の両側にあるので、挿込み部５の着脱時に板ばね材７Ａを手指で摘まみ易い利点がある。
【実施例６】
【００４６】
図８の（ａ）は本発明の実施例６を示す。実施例６が実施例１と異なるところは、栓部をコイルスプリング９により形成したことである。コイルスプリング９の下端部には、ゴムあるいはプラスチック製の栓体９ａが連結されている。
実施例１で示したように、連結線部７を止め孔部４ｃに係合させる際、栓体９ａがキャップ４の先端連通孔４ｂに弾接して先端連通孔４ｂを気密に閉鎖する。
【００４７】
この場合、栓体９ａが連結されたコイルスプリング９を栓部として設けたので、実施例１と同様に、簡素な構造で、キャップ４の先端連通孔４ｂを気密に閉鎖できてコスト的に有利である。コイルスプリング９は、挿通線部６を螺旋状に曲成することにより、挿通線部６に一体的に連続形成されたものである。
【実施例７】
【００４８】
図８の（ｂ）は本発明の実施例７を示す。実施例７が実施例１と異なるところは、栓部を蛇腹体１０により形成したことである。このため、実施例１で示したように、連結線部７を止め孔部４ｃに係合させる際、蛇腹体１０の下端部１０ａがキャップ４の先端連通孔４ｂに弾接して先端連通孔４ｂを気密に閉鎖する。
この場合、蛇腹体１０を栓部として設けたので、実施例１と同様に、簡素な構造で、キャップ４の先端連通孔４ｂを気密に閉鎖できてコスト的に有利である。
【実施例８】
【００４９】
図９は本発明の実施例８を示す。実施例８が実施例１と異なるところは、ゴム体８に代わって、弾性チューブ３０を設けたことである。挿通線部６と連結線部７との中間部３２には、例えば水中エポキシで強固に固着された数珠状の膨隆部３１が設けられている｛図９の（ａ）参照｝。弾性チューブ３０は、例えばシリコン樹脂により形成されており、中間部３２から挿通線部６および連結線部７にかけて挿通されている。この際、弾性チューブ３０は、弾性力に抗して拡開変形しながら膨隆部３１を締付けることにより抜止め状態に固定されている。
【００５０】
弾性チューブ３０の開口端部には、短筒状の輪環部３０ａが形成されており、挿通線部６を先端連通孔４ｂに差込む際、その輪環部３０ａが弾性力に抗して拡開変形しながらキャップ４の先端部４ｆに気密に嵌合する｛図９の（ｂ）参照｝。この際、挿通線部６の終端部６ｃは、吐出部３の上面開口部から内方に所定の長さ突出するものである。
【００５１】
実施例８では、挿込み部５をキャップ４に装着するに伴い、弾性チューブ３０が膨隆部３１で、抜止め状態に固定されて輪環部３０ａをキャップ４の先端部４ｆに気密に嵌合する。このため、キャップ４の先端部４ｆに対する輪環部３０ａの弾接状態が強固になり、キャップ４に対して極めて高い気密性が得られる。
【００５２】
この結果、容器体２内の溶剤形接着剤Ｇに対する乾燥を防止し、溶剤形接着剤Ｇによる吐出部３への詰まりや付着を予防し、長期にわたってキャップ４の良好な機能を維持し、使い勝手が格段によくなる。
キャップ４内をはじめ容器体２に高い気密性が得られることに伴い、溶剤形接着剤Ｇを押出す時に窪み変形した容器体２を減圧により窪ませたままにしておくことも可能である。この場合には、再使用時に小さな変形量で容器体２から溶剤形接着剤Ｇを押出すことができて便利である。とりわけ、製本を行うに際して積層紙の背表紙を貼合わせる場合のように、容器体２から溶剤形接着剤Ｇを頻繁に押出して使用する時には至便となる。
弾性チューブ３０のシリコン樹脂は、溶剤形接着剤Ｇとは馴染まないため、弾性チューブ３０がキャップ４の先端部４ｆで溶剤形接着剤Ｇと接触しても、弾性チューブ３０に接着剤が付着せず好都合である。
【実施例９】
【００５３】
図１０は本発明の実施例９を示す。実施例９が実施例８と異なるところは、中間部３２を短尺に設定し、挿込み部５の連結線部７をキャップ４の外側面に近接する状態に配置したことである。これにより、連結線部７とキャップ４とによる構造がコンパクトになり取扱い易くもなる。
【実施例１０】
【００５４】
図１１は本発明の実施例１０を示す。実施例１０が実施例８と異なるところは、挿込み部５の連結線部７を省略し、膨隆部３１を有する中間部３２および挿通線部６を一直線状に形成したことである｛図１１の（ａ）参照｝。キャップ４の先端部４ｆには、弾性チューブ３０の輪環部３０ａの先端が係合する円形溝４ｇが形成されている。
【００５５】
このため、一本の挿通線部６を先端連通孔４ｂに挿入するだけで、弾性チューブ３０の輪環部３０ａが拡開変形によりキャップ４の先端部４ｆに気密に嵌合する。すなわち、一本の挿通線部６を用いるだけで、キャップ４の良好な気密性を保持できるため、全体がコンパクトになり、コスト的に有利で取扱いも簡単になる。
また、キャップ４の先端部４ｆに対する輪環部３０ａの嵌合状態が強固になって装着性が大幅に向上する｛図１１の（ｂ）参照｝。しかも、挿通線部６をキャップ４の先端部４ｆから抜出す時には、引張るだけで輪環部３０ａが円形溝４ｇから外れるので、挿通線部６の引出し操作を容易に行うことができる｛図１１の（ｃ）参照｝。
【実施例１１】
【００５６】
図１２の（ａ）は本発明の実施例１１を示す。実施例１１が実施例１０と異なるところは、膨隆部３１を円盤状に形成して弾性チューブ３０の先端部を閉鎖したことである。
【実施例１２】
【００５７】
図１２の（ｂ）は本発明の実施例１２を示す。実施例１２が実施例１１と異なるところは、膨隆部３１をドーナツ状に形成したことである。
【実施例１３】
【００５８】
図１２の（ｃ）は本発明の実施例１３を示す。実施例１３が実施例１１と異なるところは、膨隆部３１を円錐台状に形成したことである。
実施例１１〜１３のように形成することにより、実施例１０と同様な効果を奏するうえに、膨隆部３１が幅広なため弾性チューブ３０を介して膨隆部３１を摘み易くなる。
【００５９】
（変形例）
（ａ）なお、キャップ付き容器１では、キャップ４を容器体２から切り離し、挿込み部５と一緒のキャップ具として使用するようにしてもよい。挿込み部５には、強化プラスチック製あるいは強化セラミック製の線材を使用してもよい。
（ｂ）挿込み部５のうち、連結線部７が弾性体であればよく、栓部は必ずしも弾性材製でなくともよい。
【００６０】
（ｃ）連結線部７の下端部７ａは、止め孔部４ｃに代わって、キャップ４の下端に形成した切欠き部に引っ掛けて保持するようにしてもよい。
（ｄ）容器体２に収容する液状体としては、溶剤形接着剤Ｇに限らず、化粧水、化粧クリーム、軟膏あるいは他の薬剤などであってもよい。
【００６１】
（ｅ）容器体２の溶剤形接着剤Ｇを使い切った場合、キャップ４を挿込み部５と一緒のキャップ具として、新たな容器体に装着し直して、キャップ４の共通化を図るようにしてもよい。
（ｆ）膨隆部３１は、水中エポキシに限らず、他のプラスチック材料でもよく、中間部３２にろう付けや膨出加工により一体的に形成したものでもよい。要は弾性チューブ３０を弾性変形させて抜止め状態に固定できるものであればよい。
（ｇ）使用対象物は、小冊子や書籍の製本に限らず、紙片、木片および布片などや日用雑貨品であってもよい。
【産業上の利用可能性】
【００６２】
本発明のキャップ付き容器およびキャップ具では、使用後に液状体が吐出部に詰まったり、付着することがなくなるので、長期にわたってキャップ付き容器の良好な機能を維持できて使い勝手がよい。安価で長持ちするキャップ付き容器が入手できる有益性から需要者の増加に伴い、部品などの流通を介して化学・機械産業界へ広く適用することができる。
【図面の簡単な説明】
【００６３】
【図１】キャップ付き容器の斜視図である（実施例１）。
【図２】（ａ）はキャップ付き容器の分解斜視図、（ｂ）はゴム体を示す拡大斜視図である（実施例１）。
【図３】使用時におけるキャップ付き容器と挿込み部との斜視図である（実施例１）。
【図４】キャップ付き容器の斜視図である（実施例２）。
【図５】（ａ）はキャップ付き容器の分解斜視図、（ｂ）はゴム体を示す拡大斜視図である（実施例３）。
【図６】キャップと一緒に示す挿込み部の斜視図である（実施例４）。
【図７】キャップと一緒に示す挿込み部の斜視図である（実施例５）。
【図８】（ａ）はコイルスプリングと一緒に示す挿込み部の正面図（実施例６）、（ｂ）は蛇腹体と一緒に示す挿込み部の正面図である（実施例７）。
【図９】（ａ）はキャップ付き容器の斜視図、（ｂ）はキャップの一部と一緒に示す挿込み部の斜視図である（実施例８）。
【図１０】（ａ）はキャップ付き容器の斜視図、（ｂ）は連結線部と一緒に示す弾性チューブの縦断面図である（実施例９）。
【図１１】（ａ）はキャップ付き容器の斜視図、（ｂ）はキャップから抜出した状態を示す挿込み部の斜視図、（ｃ）はキャップに挿入した挿込み部を示す斜視図である（実施例１０）。
【図１２】（ａ）は挿込み部と一緒に示す弾性チューブの縦断面図（実施例１１）、（ｂ）は挿込み部と一緒に示す弾性チューブの縦断面図（実施例１２）、（ｃ）は挿込み部と一緒に示す弾性チューブの縦断面図（実施例１３）である。
【図１３】（ａ）は従来の接着剤押出し容器を示す斜視図、（ｂ）は従来の接着剤押出し容器の分解斜視図である。
【符号の説明】
【００６４】
１      キャップ付き容器（接着剤押出し容器）
２      容器体
３      吐出部
４      キャップ
４ｂ    先端連通孔
４ｃ    止め孔部（係合部、キャップ側）
４ｄ    テーパ面
４ｆ    先端部
４ｇ    円形溝
５      挿込み部
６      挿通線部
７      連結線部（連結延部）
７ａ    連結線部の下端部
７Ａ    板ばね材（連結延部）
８      ゴム体（栓部）
８ａ    貫通孔
９      コイルスプリング（栓部）
９ａ    栓体（栓部）
１０    蛇腹体（栓部）
３０    弾性チューブ
３０ａ  輪環部
３１    膨隆部
Ｇ      溶剤形接着剤（液状体）
【図１】
2007182256.tif 000003
【図２】
2007182256.tif 000004
【図３】
2007182256.tif 000005
【図４】
2007182256.tif 000006
【図５】
2007182256.tif 000007
【図６】
2007182256.tif 000008
【図７】
2007182256.tif 000009
【図８】
2007182256.tif 000010
【図９】
2007182256.tif 000011
【図１０】
2007182256.tif 000012
【図１１】
2007182256.tif 000013
【図１２】
2007182256.tif 000014
【図１３】
2007182256.tif 000015